(57)【要約】【課題】段ボールを封函するために貼着された粘着テープを簡単に引き剥がすことができる段ボール箱を提供すること。【解決手段】粘着テープＴの近傍に、爪等を引っ掛けて段ボールの表ライナと共に粘着テープＴを起こすための切れ目２を形成した。また、先に貼着してある粘着テープを切ってテープ裏側の段ボールに切れ目を形成した。そして、必要に応じて、これら切れ目２に接して窪み２３又は貫通孔２４を形成した。【選択図】    図２
2004175451.tif 000002
【特許請求の範囲】
【請求項１】
粘着テープが貼着されて封函される段ボール箱において、
前記粘着テープの近傍に切れ目が形成されている段ボール箱。
【請求項２】
粘着テープが貼着されて封函される段ボール箱において、
前記貼着された粘着テープが切られて段ボールに切れ目が形成されている段ボール箱。
【請求項３】
前記段ボールにおける切れ目が、段ボールの表ライナにのみ形成されている請求項１または請求項２記載の段ボール箱。
【請求項４】
前記切れ目が、粘着テープの一端側又は両端側に形成されている請求項１ないし請求項３の何れかに記載の段ボール箱。
【請求項５】
前記切れ目が、角部を備えている請求項１ないし請求項４の何れかに記載の段ボール箱。
【請求項６】
前記切れ目に接して窪み又は貫通孔が形成されている請求項１ないし請求項５の何れかに記載の段ボール箱。
【発明の詳細な説明】
【０００１】
【発明の属する技術分野】
本発明は、段ボール箱、より詳しくは、封函するために貼着された粘着テープ
を簡単に引き剥がすことのできる段ボール箱に関するものである。
【０００２】
【従来の技術】
従来、各種物品の梱包搬送に用いる段ボール箱は、予め底部を形成した状態で箱内部に物品を収容した後、矩形筒状の胴部の上縁に連設された一対の内フラップと一対の外フラップとを順次折り込み、そして、外フラップ同士の突き合せ部分から胴部にかけて粘着テープを貼着することによって、封函するのが一般的である。
【０００３】
ところが、従来の段ボール箱の場合、これを開封するには、粘着テープの端部に爪等をたてて端部を起こしてテープを引き剥がさなければならず、手間がかかる難点があった。とりわけ、安価なために最近多用されているＯＰＰ（延伸ポリプロピレン）粘着テープは、強度的に優れているため比較的薄く形成され、更にその接着力も向上していることから、爪等をたてて粘着テープの端部を引き起こすことは頗る困難であった。
【０００４】
勿論、従来では、カッターナイフで粘着テープを切断して段ボール箱を開封することも行われている。しかしながら、この場合、カッターナイフの取り扱いに注意を要する他、カッターナイフで内容物を傷付けてしまう恐れがあり、丁寧な作業を心掛けねばならなかった。また、このようにカッターナイフで開封したとしても、資源リサイクルのために段ボール箱を再パルプ化する際には、結局のところ、段ボール箱に残った粘着テープをきれいに除去する必要があり、粘着テープを引き剥がす手間がかかることには変わりはなかった。
【０００５】
そこで、従来では、粘着テープを簡単に引き剥がすことができるものとして、粘着テープの端部にタブを形成し、このタブを摘んで粘着テープを剥がすことを可能にするタブ形成装置（例えば、特許文献１参照。）や、テープ側縁に沿って非粘着部を設け、この非粘着部からテープを引き剥がすようにした粘着テープ（例えば、特許文献２参照。）が提案されている。しかしながら、これらは何れもそのための特別な装置や特別な粘着テープを使用する必要があり、大幅なコスト高を招く難点があった。また、これら粘着テープのタブや非粘着部が、例えば、搬送中に段ボール箱の表面上で突出してしまい、搬送途中でこれらタブや非粘着部が外部に引っ掛かって意図しないときに剥がれてしまう恐れがあった。
【０００６】
【特許文献１】
特開平９−５８６３６号公報
【特許文献２】
特開平７−１１２０７号公報
【０００７】
【発明が解決しようとする課題】
本発明は、従来の段ボール箱に上記のような問題があったことに鑑みて為されたもので、封函するために貼着された粘着テープを簡単に引き剥がすことができる段ボール箱を提供することにある。
【０００８】
【課題を解決するための手段】
本発明は、粘着テープが貼着されて封函される段ボール箱において、前記粘着テープの近傍に切れ目が形成されていることを特徴とする。ここに、粘着テープの近傍とは、粘着テープの端縁または側縁から０〜３０mmの範囲、好ましくは、０〜１０mmの範囲であるのが良く、切れ目が粘着テープの端縁または側縁に接していても良い。
【０００９】
また、本発明は、粘着テープが貼着されて封函される段ボール箱において、前記貼着された粘着テープが切られて段ボールに切れ目が形成されていることを特徴とする。
【００１０】
更に本発明は、前記段ボールにおける切れ目が、段ボールの表ライナにのみ形成されていることを特徴とする。このように、段ボールに形成された切れ目は、段ボールの表ライナにのみ形成されて段ボールの中芯には達していないものが好ましいが、本発明における切れ目は、段ボールの中芯に達しているもの、或いは段ボールを貫通しているものも含む。
【００１１】
更に本発明は、前記切れ目が粘着テープの一端側又は両端側に形成されていることを特徴とする。
【００１２】
更に本発明は、前記切れ目が角部を備えていることを特徴とする。
【００１３】
更に本発明は、前記切れ目に接して窪み又は貫通孔が形成されていることを特徴とする。なお、この貫通孔は、段ボール箱の内容物が飛び出さないようなるべく小さい方が良く、指先を入れることが可能な大きさであることが好ましい。
【００１４】
【発明の実施の形態】
本実施形態の段ボール箱１は、図４に示すように、波形に形成された中芯１ａの両面に表ライナ１ｂ及び裏ライナ１ｃを張った両面段ボールから構成されている。そして、図１に示すように、矩形筒状に形成される胴部１０の上縁部および下縁部にそれぞれ、互いに対向する一対の内フラップ１１と、一対の外フラップ１２とが連設されている。この胴部１０の上下縁部において、一対の内フラップ１１を内側へ折り込んだ後、外フラップ１２を内側へ折り込んで外フラップ１２の先端縁同士を突き合せ、そして、この突き合せ部分から胴部１０の幅面にかけて粘着テープＴを貼着することにより段ボール箱１が封函される（図２参照）。
なお、この段ボール箱１は、波形中芯の片面にのみ表ライナを張った片面段ボールで構成しても良く、複両面段ボールで構成しても良い。
【００１５】
図１及び図２において、符号２で指示するものは、段ボール箱１の胴部１０の幅面に封函のために貼着されるべき粘着テープＴの両端部の近傍に予め形成された切れ目である。この切れ目２は、図４に示すように、段ボールの表ライナ１ｂにのみ形成され、その中芯１ａ及び裏ライナ１ｃには達していない。この切れ目２は、段ボールシートを段ボール箱１の展開形状にトムソン抜き加工する際に同時形成しているが、例えば、封函装置を用いて粘着テープを貼着する際に切れ目を形成しても良く、また、粘着テープを貼着した後、切れ目を形成しても良い。
また、この切れ目は、段ボール箱１の強度面から表ライナ１ｂにのみ形成されているのが好ましいが、実用上必要な強度を確保できるのであれば、切れ目が段ボールの中芯に達していても良く、また、段ボールを貫通していても構わない。
【００１６】
また、各切れ目２は、図３に示すように、粘着テープＴの端縁と略平行な直線部２１とこの直線部２１の両端に形成された直角の角部２２とを備え、略コ字形状を成しており、粘着テープＴの端部から約５mmの間隔を空けて該粘着テープＴの端部を取り囲むように形成されている。
【００１７】
しかして、図２及び図３に示すように、粘着テープＴで封函された段ボール箱１を開封するときには、切れ目２の角部２２に爪等を掛けて、そのまま表ライナ１ｂを摘んで引けば、切れ目２に沿って表ライナ１ｂが剥がれ、この剥がれた表ライナ１ｂと共に粘着テープＴの端部が起こされる。そして、このまま表ライナ１ｂと共に粘着テープＴを引けば、表ライナ１ｂは途中で破れて粘着テープＴだけが剥がれることになり、段ボール箱１が開封されるのである。
【００１８】
このように、本実施形態の段ボール箱１は、粘着テープＴの近傍に切れ目２が形成されているので、この切れ目２から表ライナ１ｂを剥がして簡単に粘着テープＴの端部を起こすことができ、たとえ薄くて粘着力に優れたＯＰＰ粘着テープで封函した場合でも、カッターナイフを使わずに簡単に粘着テープＴを引き剥がして段ボール箱１を開封することができる。
【００１９】
また、本実施形態の段ボール箱１は、このように粘着テープＴの端部を段ボールの表ライナ１ｂと共に起こすことができるので、この表ライナ１ｂが粘着テープＴの端部を補強することにもなり、テープ端部を確実に起こすことができる。
従来、特にクラフト粘着テープ等においては、手で簡単に切ることが可能である反面、粘着テープに爪を掛けて端部を起こす際に、テープ端部が先割れして粘着テープが部分的に残ってしまい全てのテープをきれいに剥がすのに手間取ることが多かった。しかし、本実施形態では、表ライナが粘着テープの端部を補強するので、テープ端部の先割れも発生し難く、粘着テープの端部全体をより確実に起こすことができ、粘着テープをきれいに引き剥がすことが可能となる。
【００２０】
また、本実施形態では、切れ目２が角部２２を備えているので、この角部２２において簡単に爪等を引っ掛けて表ライナ１ｂを剥がすことができ、より簡単にテープ端部を起こして粘着テープＴを引き剥がすことができる。更にまた、本実施形態のように、切れ目２の形状を、両端に角部２２を備えた略コ字形状にすれば、これら二つの角部２２にそれぞれ爪等を引っ掛けて確実に粘着テープＴの端部全体を起こすことが可能となる。
【００２１】
また、本実施形態では、段ボールシートを段ボール箱１の展開形状に打ち抜き加工する際に同時に切れ目２を形成しているので、切れ目形成によるコスト上昇も殆どない。また、粘着テープＴを手貼りする際には、この切れ目２の位置を粘着テープＴの貼着開始位置および終了位置の目安とすることができ、正確かつ迅速な封函作業を行うことができる。
【００２２】
また、本実施形態の段ボール箱１は、粘着テープＴの近傍に切れ目２を形成するだけで簡単に構成することができるので、極めて低コストに市場に提供することができる。しかも、この切れ目２が段ボール箱１の表面上で突出することはないので、搬送途中でこの切れ目２が外部に引っ掛かって意図しないときに粘着テープＴが剥がれてしまう恐れもない。
【００２３】
以上、本発明に係る段ボール箱の実施形態を説明したが、本発明は上述の実施形態に限定されるものではない。
【００２４】
例えば、上記実施形態では、段ボールの表ライナ１ｂに単に切れ目２を形成しているが、図５に示すように、この切れ目２に接して粘着テープＴの反対側に窪み２３を設けても良い。この窪み２３は、図６に示すように段ボールの表ライナ１ｂを外側から押圧し、中芯１ａを潰して表ライナ１ｂを凹ませることによって形成されている。この窪み２３は切れ目２と同時に形成しても良く、また、切れ目２を形成した後、窪み２３を形成しても良い。この窪み２３によって、切れ目２に爪等を引っ掛け易くなり、より簡単に表ライナ１ｂを剥がすことが可能となる。なお、この窪み２３は、図５に示すように切れ目２の角部２２の外側部分に設ければ、角部２２による引っ掛かり効果と相俟って更に切れ目２に爪等を引っ掛け易くなるが、例えば切れ目２の直線部など、角部２２以外の部分に接するように設けても良い。
【００２５】
また、図７及び図８に示すように、切れ目２に接して粘着テープＴの反対側に段ボールを貫通する貫通孔２４を設けても良い。上述した窪み２３と同様、この貫通孔２４により切れ目２に爪等を引っ掛け易くなり、より簡単に表ライナ１ｂを剥がすことが可能となる。なお、この貫通孔２４は、段ボール箱１の内容物が飛び出さないようなるべく小さい方が好ましく、指先を入れることが可能な大きさがあれば足りる。また、この貫通孔２４についても、切れ目２と同時形成しても良く、切れ目２を形成した後に形成しても良い。また、この貫通孔２４を切れ目２の角部２２以外の部分に接するように設けても良い。
【００２６】
また、上述した実施形態では、切れ目２を粘着テープＴの端部から約５mmの間隔を空けて形成しているが、図９に示すように、粘着テープＴの端縁及び側縁に対して隙間を空けずに粘着テープＴに接するように切れ目３を形成しても良い。
この場合でも、切れ目３に爪等を引っ掛けて表ライナと共に簡単にテープ端部を起こして粘着テープＴを引き剥がすことができる。
【００２７】
また、上述した実施形態では、切れ目２を略コ字形状に形成しているが、例えば、図１０に示すように、粘着テープＴの端縁に対して傾斜した直線部４１と、この直線部４１の両端部に形成された鋭角の角部４２及び鈍角の角部４３とから成る切れ目４を、粘着テープＴの近傍に形成しても良い。この切れ目４の直線部４１が粘着テープＴの端縁に対して傾斜しているので、この切れ目４の鋭角角部４２を摘んで引けば、この傾斜直線部４１によって無理なく粘着テープＴの端部全体を起こすことが可能となる。
【００２８】
また、図１１に示すように、中間部に直角の屈曲角部５１を一つ備えた略Ｌ字形状の切れ目５を形成しても良く、また、図１２に示すように、中間部に湾曲角部６１を一つ備えた略Ｕ字形状の切れ目６を形成しても良い。更にまた、図１３に示すように、二つの直線部７１が互いに交差してこの交差部分に交差角部７２を備えた略Ｘ字形状の切れ目７を形成しても良い。これら角部５１、６１、７２により各切れ目に爪等を引っ掛け易くなることは勿論、更にこれら略Ｌ字形状、略Ｕ字形状、略Ｘ字形状の切れ目の方向を、テープ端部を引き剥がす方向に近づけることができるので、これら角部を摘んで引けば、無理なく粘着テープＴの端部全部を起こすことが可能となる。
【００２９】
また、上述した実施形態では、粘着テープＴの各端部の近傍に一つの切れ目２を形成しているが、粘着テープＴの一端部の近傍に複数の切れ目を形成するようにしても良い。図１４に示す変形例では、中間部に直角の屈曲角部２５を一つ備えた略Ｌ字形状の切れ目２６を、粘着テープＴの端部の角部にそれぞれ対向させるように二つ形成している。
【００３０】
また、上述した実施形態では、折り込んだ外フラップ１２同士の突き合せ部分から胴部１０の幅面にかけて所謂Ｉ貼り式に粘着テープＴを貼着し、この粘着テープＴの両端部の近傍にそれぞれ切れ目２を形成しているが、この粘着テープＴの片方の端部の近傍にだけ切れ目を形成しても良い。切れ目がテープの片方の端部の近傍にさえ形成されていれば、粘着テープＴを引き剥がすことができる。
【００３１】
また、図１５に示すように、粘着テープＴをＩ貼り式に貼着した後、さらに外フラップ１２から胴部１０の幅面の上縁にかけて粘着テープＴ１を貼着する、所謂Ｈ貼り式に段ボール箱１を封函した場合、この外フラップ１２及び胴部１０の幅面上縁から胴部１０の稜線部にかけて貼着された粘着テープＴ１の端部を剥がすため、粘着テープＴ１の端部の近傍において、胴部１０の稜線部を跨ぐように切れ目２７を形成しても良い。
【００３２】
また、上述した実施形態では、粘着テープＴの端部の近傍に切れ目２を形成しているが、図１６に示すように、粘着テープＴの側縁部の近傍に切れ目８を形成しても良い。この切れ目８は、粘着テープＴの側縁部に略平行な直線部８１から構成されている。クラフト粘着テープ等を使用する場合、テープを手で簡単に切断することができるので、この切れ目８に爪等を引っ掛けて粘着テープＴの中間部を起こしながら切断し、その後、切断した粘着テープＴを両サイドへ引き剥がしてゆけば、段ボール箱１を開封することができる。なお、この切れ目８は、粘着テープＴの側縁部に対して間隔を空けずに形成しても良く、また、粘着テープＴの側縁の全体に沿って形成しても良い。
【００３３】
また、図１７に示すように、粘着テープＴの側縁部に略平行な第一直線部９１と、この第一直線部９１の中間部に接続され、外フラップ１２の先端縁まで延びる第二直線部９２とから構成され、この接続部分に直角角部９３を備えた略Ｔ字形状を成す切れ目９を形成しても良い。このように、切れ目の一部が粘着テープＴによって覆われていても、粘着テープＴの近傍において切れ目の一部が露出しておりさえすれば、この切れ目の露出部分に爪等を掛けて表ライナと共に粘着テープＴを起こして引き剥がすことができる。この切れ目９は、角部９３を備えているので爪等を引っ掛け易くなり、しかも、第二直線部９２が粘着テープＴの裏側に延びているので、この角部９３を摘んで表ライナを引いたとき、粘着テープＴの中間部分がこの第二直線部９２に沿って切断され易くなり、粘着テープＴをより簡単に、かつ、きれいに引き剥がすことが可能となる。
【００３４】
また、上述した実施形態では、予め段ボール箱１に切れ目２が形成され、この切れ目２を覆うことなく粘着テープＴが貼着されて段ボール箱１が封函される例を説明しているが、図１８に示すように、予め段ボール箱１に形成された切れ目３１を部分的に覆うように粘着テープＴが貼着されても良い。切れ目３１は、粘着テープＴの端縁に対し傾斜する直線部３２と、この直線部３２の両端部に形成された一対の鋭角角部３３とから成り、予め段ボール箱１の胴部１０の幅面に形成されている。この切れ目３１の直線部３２の中程部を覆うように粘着テープＴが貼着されている。
【００３５】
この場合でも、切れ目３１の角部３３が粘着テープＴの近傍に露出しているので、この角部３３に爪等を掛けて段ボール１の表ライナと共に粘着テープＴを起こすことができ、簡単に粘着テープＴを引き剥がすことができる。切れ目３１の直線部３２の中程部が粘着テープＴの裏側に延びているので、例えばクラフト粘着テープを用いた場合など、角部３３を摘んで表ライナを引いたとき、粘着テープＴが直線部３２に沿って切断されることがある。この場合でも、直線部３２の下方に部分的に残った粘着テープも、他方の角部３３に爪等を掛けて簡単に引き剥がすことができる。
【００３６】
また、上述した実施形態では、段ボール箱１に切れ目２を形成した後、粘着テープＴを貼着して段ボール箱１を封函しているが、図１９に示すように、先に貼着してある粘着テープＴを切って、テープ裏側の段ボールに切れ目４４を形成しても良い。切れ目４４は、粘着テープＴの端縁に対し傾斜した直線部４５から成り、この直線部４５の中程部においては、粘着テープＴと共に段ボールが切られて切れ目が形成され、直線部４５の両端側は粘着テープＴのテープ面からはみ出て、段ボールに直接切れ目が形成されている。この場合でも、切れ目４４の直線部４５に爪等を引っ掛けて、表ライナと共に粘着テープＴを起こすことができ、簡単に粘着テープＴを引き剥がすことができる。そして、切れ目４４の下方に部分的に残った粘着テープも、同様に切れ目４４に爪等を掛けて簡単に引き剥がすことができる。なお、切れ目４４の直線部４５を粘着テープＴの端縁に略平行に形成しても勿論良い。
【００３７】
また、図２０に示すように、先に貼着してある粘着テープＴを切って段ボールに形成する切れ目５２を、粘着テープＴのテープ面からはみ出さないように設けても良い。切れ目５２は、粘着テープＴの端縁に対し傾斜した直線部５３から成り、この直線部５３の両端部は粘着テープＴの周縁部に位置している。切れ目５２全体が、粘着テープＴと共に段ボールが切られて形成されている。この場合でも、切れ目５２が粘着テープＴのテープ面内で露出することになるので、切れ目５２の直線部５３に爪等を引っ掛けて、表ライナと共に粘着テープＴを起こすことができ、簡単に粘着テープＴを引き剥がすことができる。そして、切れ目５２の下方に部分的に残った粘着テープも、同様に切れ目５２に爪等を掛けて簡単に引き剥がすことができる。
【００３８】
更にまた、図２１に示すように、先に貼着してある粘着テープＴを切って段ボールに形成する切れ目６２を、粘着テープＴのテープ面内だけに設けても良い。
切れ目６２は、中間部に直角の角部６３を備えた略Ｌ字形状に形成され、切れ目６２の両端部は粘着テープＴのテープ面内に位置している。切れ目６２もまた、その全体が、粘着テープＴと共に段ボールが切られて形成されている。この場合でも、切れ目６２が粘着テープＴのテープ面内で露出することになるので、切れ目６２の角部６３に爪等を引っ掛けて、表ライナと共に粘着テープＴを起こすことができ、簡単に粘着テープＴを引き剥がすことができる。そして、切れ目６２の下方に部分的に残った粘着テープも、同様に切れ目６２に爪等を掛けて簡単に引き剥がすことができる。
【００３９】
以上、本発明に係る段ボール箱の実施例を図面に基づいて種々説明したが、これらの図示は例示であって、これらに限定されるものではない。例えば、切れ目の変形例について図９〜図２１を参照しながら種々説明したが、これら切れ目に接して一つ又は複数の窪みや貫通孔を形成することも勿論可能であり、また、切れ目や貫通孔を段ボールの断面方向において傾斜させて形成することも可能である。
【００４０】
また、先に貼着してある粘着テープＴを切ってテープ裏側の段ボールに切れ目を形成する場合においても、この段ボールにおける切れ目は、段ボール箱１の強度面から段ボールの表ライナにのみ形成されているのが好ましいが、実用上必要な強度を確保できるのであれば、切れ目が段ボールの中芯に達していても良く、段ボールを貫通していても良い。段ボールを貫通する切れ目を形成する場合、先に貼着してある粘着テープＴの表側から切れ目を形成するのが好ましいが、段ボールの裏側から粘着テープＴに達する切れ目を形成することも可能である。
【００４１】
また、この切れ目は、先に貼着してある粘着テープＴの両端側に形成しても良いが、一端側にのみ形成するようにしても良い。また、粘着テープＴの端部側に形成する他、粘着テープＴの側縁部に形成しても勿論良い。本発明は、その趣旨を逸脱しない範囲内で当業者の知識に基づき、種々の改良、変更、修正を加えた態様で実施し得るものである。
【００４２】
【発明の効果】
本発明の段ボール箱は、粘着テープの近傍に切れ目が形成されているか、或いは先に貼着した粘着テープを切って段ボールに切れ目が形成されているので、この切れ目から段ボールの表ライナを剥がしてこの表ライナと共に簡単に粘着テープを起こすことができ、たとえ、薄くて粘着力に優れたＯＰＰ粘着テープで封函した場合でも、カッターナイフを使わずに簡単に粘着テープを引き剥がして段ボール箱を開封することができる。
【００４３】
しかも、この切れ目から剥がした表ライナが、粘着テープを補強することにもなるので、たとえ手で簡単に切ることができるクラフト粘着テープを用いた場合でも、粘着テープの端部の先割れも生じ難く、テープの端部全体をより確実に起こすことができ、粘着テープをきれいに引き剥がすことができる。
【００４４】
また、角部を備えた切れ目を形成したり、切れ目に接して窪み又は貫通孔を形成すれば、これら角部や窪み又は貫通孔を利用して簡単に切れ目に爪等を引っ掛けて表ライナを剥がすことが可能となり、より簡単に粘着テープを起こして引き剥がすことができる。
【００４５】
また、本発明に係る段ボール箱は、段ボールに切れ目を形成するだけで簡単に構成することができるので、極めて低コストに市場に提供することができる。しかも、この切れ目が段ボール箱の表面上で突出することはないので、搬送途中でこの切れ目が外部に引っ掛かって意図しないときに粘着テープが剥がれてしまう恐れもない。
【図面の簡単な説明】
【図１】本発明に係る実施形態の段ボール箱を封函する前の状態の斜視図である。
【図２】同段ボール箱を封函した状態の斜視図である。
【図３】同段ボール箱を封函した状態の側面図である。
【図４】同段ボール箱を構成する段ボールの断面図である。
【図５】本発明の変形例の段ボール箱を封函した状態の側面図である。
【図６】この変形例の段ボール箱の段ボールの断面図である。
【図７】本発明の他の変形例の段ボール箱を封函した状態の側面図である。
【図８】この他の変形例の段ボール箱の段ボールの側面図である。
【図９】本発明の更に他の変形例の段ボール箱を封函した状態の側面図である。
【図１０】本発明の更に他の変形例の段ボール箱を封函した状態の側面図である。
【図１１】本発明の更に他の変形例の段ボール箱を封函した状態の側面図である。
【図１２】本発明の更に他の変形例の段ボール箱を封函した状態の側面図である。
【図１３】本発明の更に他の変形例の段ボール箱を封函した状態の側面図である。
【図１４】本発明の更に他の変形例の段ボール箱を封函した状態の側面図である。
【図１５】本発明の更に他の変形例の段ボール箱を封函した状態の斜視図である。
【図１６】本発明の更に他の変形例の段ボール箱を封函した状態の斜視図である。
【図１７】本発明の更に他の変形例の段ボール箱を封函した状態の斜視図である。
【図１８】本発明の更に他の変形例の段ボール箱を封函した状態の斜視図である。
【図１９】本発明の更に他の変形例の段ボール箱を封函した状態の斜視図である。
【図２０】本発明の更に他の変形例の段ボール箱を封函した状態の斜視図である。
【図２１】本発明の更に他の変形例の段ボール箱を封函した状態の斜視図である。
【符号の説明】
Ｔ、Ｔ１  粘着テープ
１      段ボール箱
１ａ    中芯
１ｂ    表ライナ
１ｃ    裏ライナ
１０    胴部
１１    内フラップ
１２    外フラップ
２、３、４、５、６、７、８、９、２６、２７、３１、４４、５２、６２  切れ目
２１、３２、４１、４５、５３、７１、８１、９１、９２    直線部
２２、２５、３３、４２、４３、５１、６１、６３、７２、９３    角部
２３    窪み
２４    貫通孔
【図１】
2004175451.tif 000003
【図２】
2004175451.tif 000004
【図３】
2004175451.tif 000005
【図４】
2004175451.tif 000006
【図５】
2004175451.tif 000007
【図６】
2004175451.tif 000008
【図７】
2004175451.tif 000009
【図８】
2004175451.tif 000010
【図９】
2004175451.tif 000011
【図１０】
2004175451.tif 000012
【図１１】
2004175451.tif 000013
【図１２】
2004175451.tif 000014
【図１３】
2004175451.tif 000015
【図１４】
2004175451.tif 000016
【図１５】
2004175451.tif 000017
【図１６】
2004175451.tif 000018
【図１７】
2004175451.tif 000019
【図１８】
2004175451.tif 000020
【図１９】
2004175451.tif 000021
【図２０】
2004175451.tif 000022
【図２１】
2004175451.tif 000023